(57)【要約】      （修正有）【課題】プラント設備内の点検作業を容易にすることができる情報表示システム及び情報表示方法を提供することである。【解決手段】実施形態の情報表示システムは、管理装置１０と、通信装置５０とを備える。前記管理装置は、前記通信装置からの要求に応じて、前記通信装置が位置している点検部屋に設けられている点検対象装置３０と前記点検対象装置に関連する対象関連装置４０とに関する情報を含む前記表示データを前記通信装置に送信する。前記通信装置は、前記管理装置から送信された前記表示データを表示し、前記点検対象装置から取得される、前記点検対象装置の情報及び前記対象関連装置の情報を含む点検装置情報に応じて、表示されている前記表示データのうち、取得された前記点検装置情報によって示される表示データの表示を制御する。【選択図】図１
2015125466.tif 000002
【特許請求の範囲】
【請求項１】
管理装置と、前記管理装置から送信される表示データを表示する通信装置とを備える情報表示システムであって、
前記管理装置は、
前記通信装置からの要求に応じて、前記通信装置が位置している点検部屋に設けられている点検対象装置と前記点検対象装置に関連する対象関連装置とに関する情報を含む前記表示データを前記通信装置に送信し、
前記通信装置は、
前記管理装置から送信された前記表示データを表示し、
前記点検対象装置から取得される、前記点検対象装置の情報及び前記対象関連装置の情報を含む点検装置情報に応じて、表示されている前記表示データのうち、取得された前記点検装置情報によって示される表示データの表示を制御する情報表示システム。
【請求項２】
前記通信装置は、前記点検装置情報によって示される前記表示データの表示と、前記点検装置情報によって示されていない表示データとを異なる表示態様で表示させる、請求項１に記載の情報表示システム。
【請求項３】
管理装置と、前記管理装置から送信される表示データを表示する通信装置とを備える情報表示システムにおける情報表示方法であって、
前記管理装置が、前記通信装置からの要求に応じて、前記通信装置が位置している点検部屋に設けられている点検対象装置と前記点検対象装置に関連する対象関連装置とに関する情報を含む前記表示データを前記通信装置に送信する送信ステップと、
前記通信装置が、前記管理装置から送信された前記表示データを表示する表示ステップと、
前記通信装置が、前記点検対象装置から取得される、前記点検対象装置の情報及び前記対象関連装置の情報を含む点検装置情報に応じて、表示されている前記表示データのうち、取得された前記点検装置情報によって示される表示データの表示を制御する表示制御ステップと、
を有する情報表示方法。
【請求項４】
前記通信装置が、前記表示制御ステップにおいて、前記点検装置情報によって示される前記表示データの表示と、前記点検装置情報によって示されていない表示データとを異なる表示態様で表示させる、請求項３に記載の情報表示方法。
【発明の詳細な説明】
【技術分野】
【０００１】
本発明の実施形態は、情報表示システム及び情報表示方法に関する。
【背景技術】
【０００２】
従来、プラント設備に設けられている機器や配管の点検が行われている。例えば、機器や配管の点検は、作業員が点検の対象となる機器や配管に関連する図面を紙に印刷してプラント設備内に持ち運ぶか、通信装置に図面のデータを入れてプラント設備内に持ち運ぶことで行われていた。
【先行技術文献】
【特許文献】
【０００３】
【特許文献１】特開２０１２−１６８６０６号公報
【発明の概要】
【発明が解決しようとする課題】
【０００４】
しかしながら、プラント設備に設けられている機器や配管の数は膨大であるため、点検の際に点検の対象となる機器や配管に関連する図面の確認に時間を要してしまう。そのため、点検作業に手間がかかってしまうという問題があった。
本発明が解決しようとする課題は、プラント設備内の点検作業を容易にすることができる情報表示システム及び情報表示方法を提供することである。
【課題を解決するための手段】
【０００５】
実施形態の情報表示システムは、管理装置と、通信装置とを備える。前記管理装置は、前記通信装置からの要求に応じて、前記通信装置が位置している点検部屋に設けられている点検対象装置と前記点検対象装置に関連する対象関連装置とに関する情報を含む前記表示データを前記通信装置に送信する。前記通信装置は、前記管理装置から送信された前記表示データを表示し、前記点検対象装置から取得される、前記点検対象装置の情報及び前記対象関連装置の情報を含む点検装置情報に応じて、表示されている前記表示データのうち、取得された前記点検装置情報によって示される表示データの表示を制御する。
【図面の簡単な説明】
【０００６】
【図１】本実施形態における情報表示システム１００のシステム構成を表すシステム構成図。
【図２】本実施形態における管理装置１０の機能構成を表す概略ブロック図。
【図３】情報ＤＢ１０４の具体例を表す図。
【図４】本実施形態における通信端末５０の機能構成を表す概略ブロック図。
【図５】通信端末５０に表示される表示データの具体例を示す図。
【図６】本実施形態における情報表示システム１００の動作を示すシーケンス図。
【発明を実施するための形態】
【０００７】
以下、本実施形態について図面を参照しながら説明する。
図１は、本実施形態における情報表示システム１００のシステム構成を表すシステム構成図である。
情報表示システム１００は、管理装置１０、伝送装置２０（２０−１〜２０−３）、対象装置３０（３０−１〜３０−３）、対象関連装置４０及び通信端末５０を備える。本実施形態における情報表示システム１００は、例えば水処理プラントや化学プラントなどの様々な分野における産業プラント設備に設けられている機器や配管などの点検作業に適用される。
【０００８】
管理装置１０は、パーソナルコンピュータ等の情報処理装置を用いて構成される。管理装置１０は、通信端末５０からの要求に応じて、通信端末５０が位置しているプラント設備内の部屋（以下、「点検部屋」という。）に関する表示データを要求元である通信端末５０に送信する。表示データは、通信端末５０が位置している点検部屋に設けられている点検対象となる対象装置３０の情報と、対象装置３０に関連する装置である対象関連装置４０との情報を含むデータである。例えば、表示データは、対象装置３０の回路図や対象関連装置４０の回路図を含む図面データである。図面データには、図面データに含まれている対象装置３０又は対象関連装置４０毎にそれぞれ異なる図面番号が対象装置３０又は対象関連装置４０に対応付けて記憶されている。以下の説明では、表示データの具体例として図面データを例に説明する。
【０００９】
伝送装置２０は、点検部屋ごとに設置され、管理装置１０及び通信端末５０との間で通信を行う。例えば、伝送装置２０は、通信端末５０から送信されたパスワードを管理装置１０に送信する。例えば、伝送装置２０は、図面データを通信端末５０に送信する。また、伝送装置２０は、通信端末５０との間で通信を行う場合には、点検部屋の外部（例えば、他の点検部屋など）に電波が漏れないようにＮＦＣ（Near Field Communication）により通信端末５０との間で近距離無線通信を行う。また、伝送装置２０は、指向性アンテナを備え、特定の方向及び位置で通信端末５０との間で通信を行うように構成されてもよい。
【００１０】
対象装置３０は、プラント設備に設けられている点検対象となる装置である。対象装置３０の具体例として、例えば制御盤、動力盤、現場操作盤、負荷、ポンプ等がある。対象装置３０にはそれぞれＩＣタグが貼付される。ＩＣタグには、対象装置３０の情報及び対象関連装置４０の情報（以下、「点検装置情報」という。）が記憶されている。点検装置情報には、例えばＩＣタグが貼付された対象装置３０を示す図面番号、当該対象装置３０に関連する対象関連装置４０を示す図面番号及び装置名などの情報が含まれる。
【００１１】
対象関連装置４０は、対象装置３０に関連する装置である。対象装置３０に関連する装置とは、例えば対象装置３０に対して配線などを介して直接接続されている装置である。対象関連装置４０の具体例として、例えば制御盤、動力盤、現場操作盤、コントロールセンタ、負荷、ポンプ等がある。対象装置３０が制御盤である場合、対象関連装置４０は動力盤や、現場操作盤や、コントロールセンタや、制御盤によって制御される負荷などである。
通信端末５０は、例えばスマートフォン、タブレット装置、携帯電話、パーソナルコンピュータ、ノートパソコン、ゲーム機器等の情報処理装置を用いて構成される。通信端末５０は、伝送装置２０から送信される図面データを受信して画面に表示する。通信端末５０は、対象装置３０に貼付されているＩＣタグから点検装置情報を取得する。通信端末５０は、プラント設備の点検作業を行う人物（以下、「点検作業員」という。）によって操作される。
【００１２】
次に、情報表示システム１００の適用例について図１を用いて説明する。
図１では、３つの点検部屋（Ａ室、Ｂ室、Ｃ室）が示されている。点検部屋Ａ室〜Ｃ室には、それぞれ伝送装置２０−１〜２０−３が設置されている。点検作業員は、プラント設備内に設けられている機器や配管などの点検のために通信端末５０を所持して各点検部屋を巡回する。
まず、点検作業員は、点検部屋Ａ室に入室し、通信端末５０を操作して点検部屋Ａ室用の図面データを要求する。例えば、通信端末５０は、点検作業員の操作に応じて、点検部屋Ａ室に設置されている伝送装置２０−１に図面データの送信要求を送信する。この際、通信端末５０は、点検作業員に対してパスワードの入力を要求する。点検作業員は、点検部屋Ａ室用のパスワードを通信端末５０に入力する。通信端末５０は、入力されたパスワードを伝送装置２０−１に送信する。なお、点検部屋毎のパスワードは、管理装置１０のオペレータから点検作業員に対して電話などの手段を用いて予め通知されていてもよいし、点検部屋毎にオンタイムパスワードが用いられてもよい。また、点検部屋毎のパスワードは、点検作業員がプラント設備を訪問した際にオペレータから通知されてもよい。
【００１３】
伝送装置２０−１は、通信端末５０から送信されたパスワードを受信し、受信したパスワードを管理装置１０に送信する。
管理装置１０は、伝送装置２０−１から送信されたパスワード及び伝送装置２０−１の識別情報（例えば、伝送装置２０のＭＡＣアドレス（Media Access Control address））の組み合わせに基づいて、図面データの送信先として正当な点検作業員であるか否か認証する。例えば、管理装置１０は、パスワード及び伝送装置２０−１の識別情報の組み合わせと、自装置が予め記憶しているパスワード及び各点検部屋に設置されている伝送装置２０の組み合わせとが一致するか否かによって認証を行う。パスワード及び伝送装置２０の識別情報の組み合わせが一致しなかった場合、管理装置１０は認証されなかった旨を示す通知（以下、「エラー通知」という。）を伝送装置２０−１に送信する。一方、パスワード及び伝送装置２０の識別情報の組み合わせが一致した場合、管理装置１０は点検部屋（図１の場合、点検部屋Ａ室）の図面データを伝送装置２０−１に送信する。その後、伝送装置２０−１は、管理装置１０から送信されるエラー通知又は図面データを要求元である通信端末５０に送信する。図面データを送信した場合、管理装置１０は図面データの要求元である通信端末５０の識別情報（例えば、通信端末５０のＭＡＣアドレス）と、送信した図面データとを送信履歴として記憶してもよい。
【００１４】
図面データが受信された場合、通信端末５０は受信した図面データを表示する。次に、点検作業員は、点検部屋Ａ室内に設けられている対象装置３０の点検作業を行う。通信端末５０は、点検作業員によって対象装置３０（図１の場合、対象装置３０−１）に近づけられると、対象装置３０−１に貼付されているＩＣタグから点検装置情報を取得する。この際、取得される点検装置情報には、対象装置３０−１を示す図面番号の他に、対象装置３０−１に配線などを介して接続される対象関連装置４０（図１の場合、点検部屋Ｃ室に設けられている対象関連装置４０）を示す図面番号も含まれる。その後、通信端末５０は、取得した点検装置情報に基づいて、画面に表示されている図面データのうち点検装置情報によって示される図面データの表示を制御する。例えば、通信端末５０は、点検装置情報によって示される図面データを表示する色と、その他の図面データを表示する色とを異なるように表示する。上記の処理を各点検部屋に設けられている対象装置３０に行うことによりプラント設備の点検作業を行う。
以下、情報表示システム１００の詳細について説明する。
【００１５】
図２は、本実施形態における管理装置１０の機能構成を表す概略ブロック図である。管理装置１０は、バスで接続されたＣＰＵ（Central Processing Unit）やメモリや補助記憶装置などを備え、管理プログラムを実行する。管理プログラムの実行によって、管理装置１０は、操作部１０１、制御部１０２、表示部１０３、情報ＤＢ１０４、通信部１０５、認証部１０６を備える装置として機能する。なお、管理装置１０の各機能の全て又は一部は、ＡＳＩＣ（Application Specific Integrated Circuit）やＰＬＤ（Programmable Logic Device）やＦＰＧＡ（Field Programmable Gate Array）等のハードウェアを用いて実現されてもよい。また、管理プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。また、管理プログラムは、電気通信回線を介して送受信されてもよい。
【００１６】
操作部１０１は、キーボード、ポインティングデバイス（マウス、タブレット等）、タッチパネル、ボタン等の既存の入力装置を用いて構成される。操作部１０１は、ユーザ（オペレータ）の指示を管理装置１０に入力する際にユーザ（オペレータ）によって操作される。操作部１０１は、ユーザ（オペレータ）の操作に応じて各点検部屋の図面データ毎のパスワードを管理装置１０に入力する。また、操作部１０１は、入力装置を通信端末５０に接続するためのインタフェースであってもよい。この場合、操作部１０１は、入力装置においてユーザ（オペレータ）の入力に応じて生成された入力信号を管理装置１０に入力する。
【００１７】
制御部１０２は、管理装置１０の各機能部を制御する。例えば、制御部１０２は、操作部１０１を介して自装置に入力された各点検部屋の図面データ毎のパスワードを図面データに対応付けて情報ＤＢに記録する。
表示部１０３は、ＣＲＴ（Cathode Ray Tube）ディスプレイ、液晶ディスプレイ、有機ＥＬ（Electro Luminescence）ディスプレイ等の画像表示装置である。表示部１０３は、例えばパスワードの登録画面を表示する。表示部１０３は、画像表示装置を管理装置１０に接続するためのインタフェースであってもよい。この場合、表示部１０３は、情報を表示するための映像信号を生成し、自身に接続されている画像表示装置に映像信号を出力する。
【００１８】
情報ＤＢ１０４は、磁気ハードディスク装置や半導体記憶装置などの記憶装置を用いて構成される。情報ＤＢ１０４は、点検部屋に関する情報を記憶している。
図３は、情報ＤＢ１０４の具体例を表す図である。
情報ＤＢ１０４は、点検部屋に関する情報を表すレコード６０を複数有する。レコード６０は、部屋名、ＭＡＣアドレス、パスワード及び表示データの各値を有する。部屋名は、レコード６０によって示される点検部屋の名前を表す。ＭＡＣアドレスは、レコード６０によって示される点検部屋に設置されている伝送装置２０のＭＡＣアドレスを表す。パスワードは、レコード６０によって示される点検部屋の表示データ（図面データ）に設定されたパスワードを表す。表示データは、レコード６０によって示される点検部屋に関する表示データ（本実施形態では、図面データ）を表す。
【００１９】
図３に示される例では、情報ＤＢ１０４には３つの部屋名が登録されている。図３において、情報ＤＢ１０４の最上段の行は、部屋名の値が“Ａ”、ＭＡＣアドレスの値が“ＸＸ−ＸＸ−ＸＸ−ＸＸ−ＸＸ−ＸＸ”、パスワードの値が“ＸＸＸＸ”、表示データの値が“ａａａａ”である。すなわち、点検部屋“Ａ”に設置されている伝送装置２０のＭＡＣアドレスが“ＸＸ−ＸＸ−ＸＸ−ＸＸ−ＸＸ−ＸＸ”であり、点検部屋“Ａ”の図面データに設定されているパスワードが“ＸＸＸＸ”であり、点検部屋“Ａ”の図面データが“ａａａａ”であることが表されている。
【００２０】
図２に戻って管理装置１０の説明を続ける。
通信部１０５は、伝送装置２０との間で通信を行う。例えば、通信部１０５は、伝送装置２０から送信されるパスワードを受信する。例えば、通信部１０５は、図面データを伝送装置２０に送信する。
認証部１０６は、受信されたパスワードとパスワードの送信元である伝送装置２０のＭＡＣアドレスとを用いて認証を行う。
【００２１】
図４は、本実施形態における通信端末５０の機能構成を表す概略ブロック図である。通信端末５０は、バスで接続されたＣＰＵやメモリや補助記憶装置などを備え、情報表示プログラムを実行する。情報表示プログラムの実行によって、通信端末５０は、操作部５０１、通信部５０２、情報記憶部５０３、取得部５０４、表示制御部５０５、表示部５０６を備える装置として機能する。なお、通信端末５０の各機能の全て又は一部は、ＡＳＩＣやＰＬＤやＦＰＧＡ等のハードウェアを用いて実現されてもよい。また、情報表示プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。また、情報表示プログラムは、電気通信回線を介して送受信されてもよい。
【００２２】
操作部５０１は、キーボード、ポインティングデバイス（マウス、タブレット等）、タッチパネル、ボタン等の既存の入力装置を用いて構成される。操作部５０１は、ユーザ（点検作業員）の指示を通信端末５０に入力する際にユーザ（点検作業員）によって操作される。操作部５０１は、ユーザ（点検作業員）の操作に応じてパスワードの入力を受け付ける。また、操作部５０１は、入力装置を通信端末５０に接続するためのインタフェースであってもよい。この場合、操作部５０１は、入力装置においてユーザ（点検作業員）の入力に応じて生成された入力信号を通信端末５０に入力する。
【００２３】
通信部５０２は、伝送装置２０との間で通信を行う。例えば、通信部５０２は、操作部５０１を介して通信端末５０に入力されたパスワードを伝送装置２０に送信する。通信部５０２は、伝送装置２０から送信された図面データ（表示データ）を受信する。
情報記憶部５０３は、磁気ハードディスク装置や半導体記憶装置などの記憶装置を用いて構成される。情報記憶部５０３は、通信部５０２によって受信された図面データを記憶する。
【００２４】
取得部５０４は、対象装置３０から点検装置情報を取得する。例えば、取得部５０４は、対象装置３０に貼付されているＩＣタグから出力される電波を受信することによって点検装置情報を取得する。
表示制御部５０５は、表示部５０６の表示を制御する。表示制御部５０５は、例えば情報記憶部５０３に記憶されている図面データ（表示データ）を表示部５０６に表示する。また、表示制御部５０５は、取得部５０４によって取得された点検装置情報に応じて、表示部５０６に表示されている図面データ（表示データ）のうち、取得された点検装置情報によって示される図面データの表示を制御する。例えば、表示制御部５０５は、表示部５０６に表示されている図面データのうち、図面データに含まれる対象装置３０又は対象関連装置４０を示す図面番号と、点検装置情報に含まれる対象装置３０又は対象関連装置４０を示す図面番号とが一致する図面データを他の図面データと異なる態様で表示する。より具体的には、表示制御部５０５は、取得された点検装置情報によって示される図面データを表示する色と、他の図面データを表示する色とを異なるように表示部５０６に表示する。なお、表示制御部５０５は、取得された点検装置情報によって示される図面データのみを表示し、他の図面データを表示しないように制御してもよい。
【００２５】
表示部５０６は、ＣＲＴディスプレイ、液晶ディスプレイ、有機ＥＬディスプレイ等の画像表示装置である。表示部５０６は、表示制御部５０５の制御に応じた表示を行う。例えば、表示部５０６は、表示制御部５０５の制御に従って、情報記憶部５０３に記憶されている図面データを表示する。画像表示装置を管理装置１０に接続するためのインタフェースであってもよい。この場合、表示部５０６は、情報を表示するための映像信号を生成し、自身に接続されている画像表示装置に映像信号を出力する。
【００２６】
図５は、通信端末５０に表示される図面データ（表示データ）の具体例を示す図である。図５では、対象装置３０−４の点検作業を例に説明する。
図５に示されるように、図面データとして通信端末５０の表示部５０６には、通信端末５０が位置している点検部屋に設けられている対象装置３０−４及び３０−５の回路図の情報と、対象装置３０−４に関連する装置である対象関連装置４０−１〜４０−４の情報と、対象装置３０−５に関連する装置である対象関連装置４０−５及び４０−６の情報とが表示されている。なお、対象関連装置４０−１〜４０−６のいずれかが通信端末５０が位置している点検部屋とは異なる点検部屋に設けられているとしても、通信端末５０が位置している点検部屋に設けられている対象装置３０−４及び３０−５に関連する装置であるため、図面データとして通信端末５０の表示部５０６に表示される。
【００２７】
ここで、通信端末５０の取得部５０４は、点検作業員によって対象装置３０−４に近づけられると、対象装置３０に貼付されているＩＣタグから点検装置情報を取得する。この際に取得される点検装置情報には、対象装置３０−４を示す情報（例えば、図面番号）の他に、対象装置３０−４に配線などを介して接続される、対象関連装置４０−１〜４０−４を示す情報（例えば、図面番号）も含まれる。表示制御部５０５は、取得された点検装置情報に基づいて、表示部５０６に表示されている図面データのうち点検装置情報によって示される図面データ（対象装置３０−４及び対象関連装置４０−１〜４０−４の図面番号に対応する図面データ）を表示する色を、対象装置３０−５及び対象関連装置４０−５〜４０−６（一点鎖線で囲まれた領域）を表示する色と異なるように表示する。
【００２８】
図６は、本実施形態における情報表示システム１００の動作を示すシーケンス図である。
伝送装置２０は、定期的に接続要求を送信する（ステップＳ１０１）。通信端末５０の通信部５０２は、伝送装置２０から送信される接続要求を受信する（ステップＳ１０２）。その後、伝送装置２０と通信端末５０との間で接続処理が行なわれ、伝送装置２０と通信端末５０とが通信可能に接続される（ステップＳ１０３）。通信端末５０の操作部５０１は、点検作業員からのパスワードを受け付ける（ステップＳ１０４）。操作部５０１を介してパスワードが通信端末５０に入力されると、通信部５０２は入力されたパスワードを伝送装置２０に送信する（ステップＳ１０５）。
【００２９】
伝送装置２０は、通信端末５０からパスワードを受信し、受信したパスワードを管理装置１０に送信する（ステップＳ１０６）。管理装置１０の通信部１０５は、伝送装置２０から送信されたパスワードを受信する（ステップＳ１０７）。認証部１０６は、情報ＤＢ１０４を参照し、受信されたパスワード及びパスワードの送信元である伝送装置２０の識別情報の組み合わせに基づいて認証を行う（ステップＳ１０８）。認証の結果、パスワード及び伝送装置２０の識別情報の組み合わせが一致すると、認証部１０６は認証に使用されたパスワードに対応付けられている図面データを送信する旨の通知を制御部１０２に出力する。制御部１０２は、情報ＤＢ１０４からパスワードに対応する図面データを取得する（ステップＳ１０９）その後、通信部１０５は、制御部１０２によって取得された図面データを伝送装置２０に送信する（ステップＳ１１０）。
伝送装置２０は、管理装置１０から送信された図面データを受信し、受信した図面データを通信端末５０に転送する（ステップＳ１１１）。
【００３０】
通信端末５０の通信部５０２は、伝送装置２０から送信された図面データを受信する（ステップＳ１１２）。通信部５０２は、受信した図面データを情報記憶部５０３に記録する。この際、情報記憶部５０３に既に図面データが記録されている場合には、通信部５０２は新たに受信した図面データで上書きすることによって図面データを更新する。表示制御部５０５は、情報記憶部５０３に記録された図面データを表示部５０６に表示させる。表示部５０６は、表示制御部５０５の制御に従って図面データを表示する（ステップＳ１１３）。
【００３１】
その後、ユーザが通信端末５０を点検対象である対象装置３０に近づけると、取得部５０４は対象装置３０との間で近距離無線通信することによって対象装置３０に貼付されているＩＣタグから点検装置情報を取得する（ステップＳ１１４）。表示制御部５０５は、取得部５０４によって取得された点検装置情報に応じて、表示部５０６に表示されている図面データの表示を制御する（ステップＳ１１５）。
【００３２】
以上のように構成された情報表示システム１００によれば、通信端末５０が位置している点検部屋の表示データのうち、対象装置３０から取得された点検装置情報によって示される表示データの表示態様を変更して表示することができる。したがって、点検作業員は、点検しようとしている対象装置３０の情報と、対象関連装置４０の情報とをまとめて確認することができる。そのため、プラント設備内の点検作業を容易にすることが可能になる。
【００３３】
また、従来では、プラント設備の点検作業の際に、点検対象となる対象装置３０と対象関連装置４０とを図面により調べていた。このような作業がプラント設備の点検作業の時間が増えてしまう要因の一つでもあった。それに対して、情報表示システム１００は、叙述したように、点検対象となる対象装置３０の情報のみならず、当該対象装置３０に関連する対象関連装置４０の情報も示すことができる。したがって、点検作業員は、図面により対象関連装置４０を調べる必要が無く、画面上に示されている対象装置３０及び対象関連装置４０を調べればよい。そのため、プラント設備内の点検作業を容易にすることが可能になる。
【００３４】
以上述べた少なくともひとつの実施形態の情報表示システム１００によれば、対象装置３０から取得される点検対象情報に基づいて、通信端末５０に表示されている表示データの表示が制御されることにより、プラント設備内の点検作業を容易にすることが可能となる。
【００３５】
＜変形例＞
本実施形態では、表示データの具体例として図面データを例に説明したが、表示データは図面データに限定される必要はない。表示データは、例えば通信端末５０が位置している点検部屋に設けられている対象装置３０と、当該対象装置３０に関連する対象関連装置４０とが設けられている位置を示す情報（以下、「位置情報」という。）であってもよいし、通信端末５０が位置している点検部屋に設けられている対象装置３０と、当該対象装置３０に関連する対象関連装置４０とが設けられている部屋が撮像された画像データであってもよい。
本実施形態では、取得部５０４は、対象装置３０に貼付されたＩＣタグから点検装置情報を取得する構成を示したが、これに限定される必要はない。例えば、対象装置３０に点検装置情報が記録されたバーコードが貼付されている場合には、取得部５０４はバーコードを読み取ることによって点検装置情報を取得してもよい。
各点検部屋には、複数台の伝送装置２０が設置されるように構成されてもよい。
【００３６】
以上、この発明の実施形態について図面を参照して詳述してきたが、具体的な構成はこの実施形態に限られるものではなく、この発明の要旨を逸脱しない範囲の設計等も含まれる。
【００３７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３８】
１０…管理装置，  ２０（２０−１〜２０−３）…伝送装置，  ３０（３０−１〜３０−３）…対象装置，  ４０…対象関連装置，  ５０…通信端末（通信装置），  １０１…操作部，  １０２…制御部，  １０３…表示部，  １０４…情報ＤＢ，  １０５…通信部，  １０６…認証部，  ５０１…操作部，  ５０２…通信部，  ５０３…情報記憶部，  ５０４…取得部，  ５０５…表示制御部，  ５０６…表示部
【図１】
2015125466.tif 000003
【図２】
2015125466.tif 000004
【図３】
2015125466.tif 000005
【図４】
2015125466.tif 000006
【図５】
2015125466.tif 000007
【図６】
2015125466.tif 000008